(57)【要約】      （修正有）【課題】上蓋の閉ロック状態を解除する際の操作性を格段に向上する開閉ロック機構を提供する。【解決手段】本体部に設けられた爪部１６と係合するための係合突部１７が形成されると共に、当該係合突部１７の両側に爪部１６との係合状態を解除するための爪部逃げ空間１８及び１９が形成された薄板形状でなる操作子１２を本体部の周側面から僅かに突出した状態でかつ回動自在に取り付けることにより、上蓋に設けられた爪部１６と操作子１２の係合突部１７とが係合された後、当該操作子１２が左右いずれかに回転操作されたときに爪部逃げ空間１８又は１９を介して爪部１６と係合凸部１７との係合状態が解かれて閉ロック状態を解除することができるので、操作子１２の操作方向を限定することなく使い勝手を向上させることができる。【選択図】図３
2006066017.tif 000002
【特許請求の範囲】
【請求項１】
本体部に対する上蓋の閉ロック状態を解除する上蓋開閉ロック機構であって、
上記上蓋又は上記本体部に設けられた爪部と係合するための係合突部が形成されると共に、当該係合突部の両側に上記爪部との係合状態を解除するための爪部逃げ空間が形成された薄板形状でなる操作子と、
上記操作子を上記本体部又は上記上蓋の周側面から僅かに突出した突出状態に取り付けると共に、上記操作子が操作されたときに上記爪部逃げ空間に上記爪部が位置して上記閉ロック状態が解除されるように回動自在に取り付ける取付手段と
を具えることを特徴とする上蓋開閉ロック機構。
【請求項２】
上記操作子は、上記取付手段によって上記突出状態に保持されながら上記本体部又は上記上蓋の内側へ引っ張る方向に引っ張りばねにより常時付勢されており、上記爪部が上記係合突部に係合する際、上記突出状態よりも外側へ一時的に押し出された後に閉ロック状態へ遷移する
ことを特徴とする請求項１に記載の上蓋開閉ロック機構。
【請求項３】
上記爪部は、弾性力を有しており、上記係合突部と係合する際に撓む
ことを特徴とする請求項１に記載の上蓋開閉ロック機構。
【請求項４】
上記操作子は、半円形状でなり、その円形状の一部がユーザの操作部分として上記突出状態に取り付けられている
ことを特徴とする請求項１に記載の上蓋開閉ロック機構。
【請求項５】
本体部に対する上蓋の閉ロック状態を解除する上蓋開閉ロック機構を有する電子機器であって、
上記上蓋又は上記本体部に設けられた爪部と係合するための係合突部が形成されると共に、当該係合突部の両側に上記爪部との係合状態を解除するための爪部逃げ空間が形成された薄板形状でなる操作子と、
上記操作子を上記本体部又は上記上蓋の周側面から僅かに突出した突出状態に取り付けると共に、上記操作子が操作されたときに上記爪部逃げ空間に上記爪部が位置して上記閉ロック状態が解除されるように回動自在に取り付ける取付手段と
を具えることを特徴とする電子機器。
【発明の詳細な説明】
【技術分野】
【０００１】
本発明は、上蓋開閉ロック機構及び電子機器に関し、例えばポータブルＣＤ(Compact Disc)プレーヤに適用して好適なものである。
【背景技術】
【０００２】
従来、図１０に示すようにポータブルＣＤプレーヤ１においては、ＣＤを装着する本体部２に対して上蓋３が後方のヒンジ部（図示せず）を介して開閉自在に取り付けられた構造を有しており、本体部２における周側面の所定位置に設けられたスライド式の上蓋開閉ロックつまみ４が矢印Ｒ方向へスライド操作されると上蓋３の閉ロック状態を解除するようになされている。
【０００３】
またポータブルＣＤプレーヤ１ではなく、ディジタルカメラ等の電子機器において蓋開閉つまみがスライド操作されると蓋部カバーのロックを解除するようになされたものがある（例えば、特許文献１参照）。
【特許文献１】特開2002-354303公報
【発明の開示】
【発明が解決しようとする課題】
【０００４】
ところでかかる構成のポータブルＣＤプレーヤ１においては、上蓋開閉ロックつまみ４に対するスライド操作方向が一方の矢印Ｒ方向にのみ制限されているため、ユーザが当該ポータブルＣＤプレーヤ１を保持したときの操作し易い方向とスライド方向とが一致しない場合には操作し難い状況が発生するという問題があった。
【０００５】
本発明は以上の点を考慮してなされたもので、上蓋の閉ロック状態を解除する際の操作性を格段に向上し得る上蓋開閉ロック機構及びそれを搭載した電子機器を提案しようとするものである。
【課題を解決するための手段】
【０００６】
かかる課題を解決するため本発明の上蓋開閉ロック機構においては、本体部に対する上蓋の閉ロック状態を解除する上蓋開閉ロック機構であって、上蓋又は本体部に設けられた爪部と係合するための係合突部が形成されると共に、当該係合突部の両側に爪部との係合状態を解除するための爪部逃げ空間が形成された薄板形状でなる操作子と、当該操作子を本体部又は上蓋の周側面から僅かに突出した突出状態に取り付けると共に、操作子が操作されたときに爪部逃げ空間に爪部が位置して閉ロック状態が解除されるように回動自在に取り付ける取付手段とを設けるようにする。
【０００７】
これにより上蓋開閉ロック機構では、上蓋又は本体部に設けられた爪部と操作子の係合突部とが係合された後、当該係合突部の両側に設けられた爪部逃げ空間が形成された薄板形状でなる操作子の操作方向を限定することなく、左右いずれかに操作されたときに爪部逃げ空間を介して爪部と係合凸部との係合状態が解かれて閉ロック状態を解除することができるので、上蓋の閉ロック状態を解除する際の操作性を格段に向上させることができる。
【０００８】
また本発明の電子機器においては、本体部に対する上蓋の閉ロック状態を解除する上蓋開閉ロック機構を有する電子機器であって、上蓋又は本体部に設けられた爪部と係合するための係合突部が形成されると共に、当該係合突部の両側に爪部との係合状態を解除するための爪部逃げ空間が形成された薄板形状でなる操作子と、当該操作子を本体部又は上蓋の周側面から僅かに突出した突出状態に取り付けると共に、操作子が操作されたときに爪部逃げ空間に爪部が位置して閉ロック状態が解除されるように回動自在に取り付ける取付手段とを設けるようにする。
【０００９】
これにより電子機器では、上蓋又は本体部に設けられた爪部と操作子の係合突部とが係合された後、当該係合突部の両側に設けられた爪部逃げ空間が形成された薄板形状でなる操作子の操作方向を限定することなく、左右いずれかに操作されたときに爪部逃げ空間を介して爪部と係合凸部との係合状態が解かれて閉ロック状態を解除することができるので、上蓋の閉ロック状態を解除する際の操作性を格段に向上させることができる。
【発明の効果】
【００１０】
本発明によれば、上蓋又は本体部に設けられた爪部と操作子の係合突部とが係合された後、当該係合突部の両側に設けられた爪部逃げ空間が形成された薄板形状でなる操作子の操作方向を限定することなく、左右いずれかに操作されたときに爪部逃げ空間を介して爪部と係合凸部との係合状態が解かれて閉ロック状態を解除することができるので、上蓋の閉ロック状態を解除する際の操作性を格段に向上させ得る上蓋開閉ロック機構及びそれを搭載した電子機器を実現することができる。
【発明を実施するための最良の形態】
【００１１】
以下、図面について、本発明の一実施の形態を詳述する。
【００１２】
（１）ポータブルＣＤプレーヤの構造
図１０との対応部分に同一符号を付した図１において、１０は全体として本発明の上蓋開閉ロック機構を有するポータブルＣＤプレーヤを示し、ＣＤを装着する本体部２に対して上蓋３が後方のヒンジ部（図示せず）を介して開閉自在に取り付けられた構造を有している。
【００１３】
このポータブルＣＤプレーヤ１０は、本体部２における周側面の所定位置に当該周側面からその一部が僅かに突出した状態で上蓋開閉ロック機構における薄板形状の操作子１２が取り付けられており、当該操作子１２が矢印Ｌ又はＲ方向へ回転されると上蓋３の閉ロック状態を解除するようになされている。
【００１４】
なおポータブルＣＤプレーヤ１０は、本体部２の周側面に設けられた接続端子（図示せず）を介してイヤーホン１３が取り付けられるようになされており、本体部２によって再生されたＣＤの再生音を当該イヤーホン１３から出力するようになされている。
【００１５】
実際上、図２に示すようにポータブルＣＤプレーヤ１０は本体部２のＣＤを載せる上キャビネット１４の下面に対して上蓋開閉ロック機構１１の操作子１２が本体部２の周側面から僅かに突出した状態で螺子１５により取り付けられており、当該螺子１５の位置を回動中心として操作子１２を矢印Ｒ又はＬ方向へ回動し得るようになされている。
【００１６】
またポータブルＣＤプレーヤ１０では、本体部２に取り付けられた操作子１２と対応する上蓋３の所定位置に爪部１６が設けられると共に、当該爪部１６と対応する上キャビネット１４の所定位置には矩形状の貫通孔１４Ｄが設けられ、その貫通孔１４Ｄの下に爪部１６と係合する操作子１２の係合凸部１７が位置するようになされている。
【００１７】
従ってポータブルＣＤプレーヤ１０は、上蓋３が本体部２に対して閉じられたときに当該爪部１６と操作子１２の係合凸部１７とが係合することになり、当該上蓋３が本体部２に対して閉じられた閉ロック状態へ遷移するようになされている。
【００１８】
その後ポータブルＣＤプレーヤ１０は、上キャビネット１４の一部に設けられた光ピックアップ１８を介してＣＤを再生するようになされている。
【００１９】
（２）上蓋開閉ロック機構
図３に示すように上蓋開閉ロック機構１１では、上キャビネット１４の下面１４Ａから突出したばね掛け凸部１４Ｂに引っ張りばね２１の一方が引っ掛けられると共に、当該引っ張りばね２１の他方が操作子１２の一端に形成されたばね掛け凸部１２Ａに引っ掛けられ、かつ上キャビネット１４の下面１４Ａから突出したボス１４Ｃに取り付けられた螺子１５の頭部によって操作子１２を下面１４Ａに当接した状態に係止する。
【００２０】
ここで操作子１２には、ボス１４Ｃの外径とほぼ同径で、引っ張りばね２１の長手方向に長く形成された長円形状でなるガイド穴２２が設けられており、ガイド穴２２の内側にボス１４Ｃを位置させた状態で操作子１２が螺子１５により取り付けられる。
【００２１】
従って操作子１２は、上蓋３が本体部２に対して開かれている場合には、上蓋３の爪部と係合凸部１７とが係合状態にはなく、引っ張りばね２１の付勢力によってガイド穴２２の範囲内で矢印Ｐ方向（本体部２の内側）へ常時引っ張られた状態に維持される。
【００２２】
一方、操作子１２は、当該操作子１２に対して引っ張りばね２１の付勢力に抗する力が作用したときには矢印Ｑ方向（本体部２の外側）へガイド穴２２の範囲内で動くことができ、その後に引っ張りばね２１の付勢力に抗する力が作用しなくなったときには当該引っ張りばね２１の付勢力によって矢印Ｐ方向へ引っ張られた状態に引き戻される。
【００２３】
なお操作子１２のガイド穴２２は、ボス１４Ｃの外径とほぼ同径の長穴形状に形成されているため、矢印Ｐ又はＱ方向と直交する方向へ操作子１２が動いてしまうことがなく、引っ張りばね２１の付勢力によって操作子１２の動きを当該引っ張りばね２１の長手方向のみに制限するようになされている。
【００２４】
因みに上蓋開閉ロック機構１１では、ボス１４Ｃに取り付けられた螺子１５の頭部と操作子１２との間には僅かなクリアランスが設けられるように当該螺子１５が取り付けられているため、操作子１２を螺子１５の頭部で押さえ付けることがなくガイド穴２２の範囲内であれば当該操作子１２を自由に動かすことができるようになされている。
【００２５】
また操作子１２の半円形状部１２Ｂには、引っ張りばね２１の長手方向延長線上に上蓋３の爪部１６と係合させるための係合凸部１７が形成されていると共に、当該係合凸部１７の両側には上蓋３の爪部１６との係合状態を解除するための爪部逃げ空間１８及び１９（破線で示す）が形成されている。
【００２６】
係合凸部１７は、その先端側へ向けて所定角度の傾斜が付けられたテーパー状に形成されており、当該係合凸部１７と係合する上蓋３の爪部１６は断面逆Ｌ字状に形成され、かつその先端１６Ａが面取りされているため、爪部１６の先端１６Ａと係合凸部１７のテーパー部分とが面接触により滑らかに当接し、衝撃による破損がないように考慮されている。
【００２７】
上蓋開閉ロック機構１１では、図４及び図５に示すように上蓋３がユーザによって押し下げられて爪部１６の先端１６Ａが係合凸部１７のテーパー部分に当接されると、引っ張りばね２１の付勢力に抗して矢印Ｑ方向へ操作子１２が押し出される。
【００２８】
そして上蓋開閉ロック機構１１では、図６及び図７に示すように上蓋３が本体部２に対して完全に閉じられた状態では、当該上蓋３における爪部１６の先端１６Ａが完全に挿入され、引っ張りばね２１の付勢力によって係合凸部１７が爪部１６の腹部１６Ｂに当接する位置まで操作子１２が引き戻されて上蓋３の閉ロック状態を形成するようになされている。
【００２９】
このとき上蓋開閉ロック機構１１では、上蓋３における爪部１６の先端１６Ａが腹部１６Ｂよりも突出しているため当該上蓋３を上方へ開く動きに対してストッパーの役割を担い、上蓋３の閉ロック状態を維持するようになされている。
【００３０】
その後、上蓋開閉ロック機構１１では、図８（Ａ）及び（Ｂ）に示すように操作子１２がユーザの操作によって矢印Ｒ又は矢印Ｌ方向へ回転されると、操作子１２がボス１４Ｃを中心として回転するが上蓋３の爪部１６の位置は変化しないため当該爪部１６が爪部逃げ空間１８又は１９に位置し、爪部１６を遮るものが一切なくなるので当該爪部１６と係合凸部１７との係合状態が解除される。
【００３１】
なお上蓋開閉ロック機構１１では、上蓋３の爪部１６の位置が不変であるため、操作子１２の回転に対して当該爪部１６がストッパーの役割を担い、必要以上に操作子１２が回転し過ぎてしまうことを防止するようになされている。
【００３２】
これにより上蓋開閉ロック機構１１では、図９に示すように上蓋３後方に設けられたヒンジ部のばね（図示せず）によって当該上蓋３の爪部１６が操作子１２及び貫通孔１４Ｄを抜けて当該上蓋３が閉ロック状態から上蓋開状態へ遷移するようになされている。
【００３３】
その後、上蓋開閉ロック機構１１では、操作子１２からユーザの指が離れて回転操作から開放されると、引っ張りばね２１の付勢力によって当該操作子１２が上蓋開時（図３）の中立位置に自動的に戻るようになされている。
【００３４】
（３）動作及び効果
以上の構成において、ポータブルＣＤプレーヤ１０の上蓋開閉ロック機構１１では、上蓋３が押し下げられると、爪部１６と操作子１２の係合凸部１７とが当接したときに爪部１６が押し下げられる力により、引っ張りばね２１の付勢力に抗して操作子１２をガイド穴２２の範囲内で矢印Ｑ方向へ押し出す（図４及び図５）。
【００３５】
そして上蓋開閉ロック機構１１では、上蓋３が本体部２に対して完全に閉じられると、爪部１６の先端１６Ａが操作子１２を通過した位置まで押し下げられるため、引っ張りばね２１による矢印Ｐ方向への付勢力によって操作子１２の係合凸部１７が爪部１６の腹部１６Ｂに押し当てられる位置まで引き戻される（図６及び図７）。
【００３６】
このとき上蓋開閉ロック機構１１では、操作子１２が矢印Ｒ又はＬ方向へ回転されない限り、引っ張りばね２１の付勢力によって当該操作子１２をその位置で保持し続けるため、爪部１６の先端１６Ａが係合凸部１７に係合された上蓋３の閉ロック状態を維持することになる。
【００３７】
その後、上蓋開閉ロック機構１１では本体部２の周側面から僅かに突出した操作子１２の一部がユーザによって矢印Ｒ又はＬ方向へ回転されると、操作子１２が上キャビネット１４のボス１４Ｃを中心として回転するため、上蓋３の爪部１６が爪部逃げ空間１８又は１９に位置することになり、当該爪部１６と係合凸部１７との係合状態が解除される（図８）。
【００３８】
これによりポータブルＣＤプレーヤ１０は、爪部１６と係合凸部１７との係合状態が解除されたので上蓋３がヒンジ部のばねによって上方向へ開かれる（図９）。
【００３９】
このようにポータブルＣＤプレーヤ１０は、上蓋開閉ロック機構１１によって、ユーザが操作子１２を矢印Ｒ又はＬ方向のいずれに回転した場合であっても上蓋３の閉ロック状態を解除することができるので、右手又は左手で本体部２が保持された場合に操作し易いユーザ所望の矢印Ｒ又はＬ方向に操作子１２が回転されたときであっても上蓋３の閉ロック状態を確実に解除することができる。
【００４０】
またポータブルＣＤプレーヤ１０では、本体部２がＣＤの円形状に合わせて形成されているため、操作子１２の半円形状部１２Ｂを本体部２の周側面に沿って指を這わせるように動かすといった当該本体部２の形状に合わせた自然で無理のない指の動きにより閉ロック状態を解除することができ、かくしてユーザの感性に合った操作感を提供することもできる。
【００４１】
さらにポータブルＣＤプレーヤ１０では、円形状でなる本体部２と、半円形上部１２Ｂが本体部２の周側面から僅かに突出した操作子１２とによってデザイン上の一体感を持たせることができるので、デザイン性と操作性の両立を実現することもできる。
【００４２】
以上の構成によれば、ポータブルＣＤプレーヤ１０では上蓋３の爪部１６と係合するための係合凸部１７と、当該係合凸部１７の両側に爪部逃げ空間１８及び１９を形成した当該操作子１２を本体部２の周側面から一部だけ突出させた状態でかつ上キャビネット１４の下面１４Ａに回動自在に取り付けるようにしたことにより、操作子１２がいずれの方向に回転された場合であっても爪部１６と係合凸部１７との係合状態を当該係合凸部１７の両側に設けられた爪部逃げ空間１８又は１９のいずれによっても解除することができるので、上蓋３の閉ロック状態を解除する際の操作性を格段に向上することができる。
【００４３】
（４）他の実施の形態
なお上述の実施の形態においては、上蓋開閉ロック機構１１をポータブルＣＤプレーヤ１０に搭載するようにした場合について述べたが、本発明はこれに限らず、ポータブルＭＤ(Mini Disc：商標)プレーヤやポータブルカセットテープレコーダ等の他の種々の開閉機構を有する電子機器に上蓋開閉ロック機構１１を搭載するようにしても良い。
【００４４】
また上述の実施の形態においては、上蓋３の爪部１６と操作子１２の係合凸部１７とを係合させる際、引っ張りばね２１の付勢力に抗して操作子１２を矢印Ｑ方向へ押し出すようにした場合について述べたが、本発明はこれに限らず、上蓋３の爪部１６に可撓性を持たせることにより、爪部１６と係合凸部１７とが当接したときに当該爪部１６を撓ませて爪部１６と係合凸部１７とを係合させるようにしても良い。この場合、引っ張りばね２１を不要にして上蓋開閉ロック機構１１の構成を簡素化することができる。
【００４５】
さらに上述の実施の形態においては、その周側面に何ら滑り止めを設けていない操作子１２を用いるようにした場合について述べたが、本発明はこれに限らず、ローレット目のような滑り止めを設けた操作子を用いるようにしても良い。
【００４６】
さらに上述の実施の形態においては、半円形状部１２Ｂの操作子１２を用いるようにした場合について述べたが、本発明はこれに限らず、本体部２の周側面からその一部が突出して矢印Ｒ又はＬ方向に回転できれば他の種々の形状でなる操作子を用いるようにしても良い。
【００４７】
さらに上述の実施の形態においては、上蓋開閉ロック機構１１の操作子１２を本体部２に設けるようにした場合について述べたが、本発明はこれに限らず、上蓋３に設けるようにしても良い。この場合の上蓋開閉ロック機構では爪部１６を本体部２に設けるようにすれば良い。
【００４８】
さらに上述の実施の形態においては、操作子１２を本体部２の周側面から僅かに突出した状態でかつ回動自在に取り付ける取付手段として上キャビネット１４のボス１４Ｃと螺子１５によって操作子１２を当該上キャビネット１４の下面１４Ａに取り付けるようにした場合について述べたが、本発明はこれに限らず、他の種々の構成で操作子１２を取り付けるようにしても良い。
【産業上の利用可能性】
【００４９】
本発明の上蓋開閉ロック機構及び電子機器は、例えば本体部と上蓋の閉ロック状態を解除する種々の用途に適用することができる。
【図面の簡単な説明】
【００５０】
【図１】本発明の上蓋開閉ロック機構を搭載したポータブルＣＤプレーヤの外観構成を示す略線図である。
【図２】上蓋開状態を示す略線図である。
【図３】上蓋開閉ロック機構（上蓋開時）の構成を示す略線図である。
【図４】上蓋閉動作時における係合凸部と爪部を示す略線図である。
【図５】上蓋閉動作時の全体像を示す略線図である。
【図６】上蓋閉時（閉ロック状態）を示す略線図である。
【図７】閉ロック状態時の全体像を示す略線図である。
【図８】上蓋開動作時（閉ロック状態リリース時）を示す略線図である。
【図９】上蓋リリース時の全体像を示す略線図である。
【図１０】従来のポータブルＣＤプレーヤにおける上蓋ロック開閉機構を示す略線図である。
【符号の説明】
【００５１】
１、１０……ポータブルＣＤプレーヤ、２……本体部、３……上蓋、４……上蓋開閉ロックつまみ、１２……操作子、１３……イヤーホン、１４……上キャビネット、１５……螺子、１６……爪部、１７……係合凸部、１８、１９……爪部逃げ空間、２１……引っ張りばね、２２……ガイド穴。
【図１】
2006066017.tif 000003
【図２】
2006066017.tif 000004
【図３】
2006066017.tif 000005
【図４】
2006066017.tif 000006
【図５】
2006066017.tif 000007
【図６】
2006066017.tif 000008
【図７】
2006066017.tif 000009
【図８】
2006066017.tif 000010
【図９】
2006066017.tif 000011
【図１０】
2006066017.tif 000012